(57)【要約】【課題】携帯端末側で、システム専用のアプリケーションソフトを実行することなく、認証用のデータを取得できるようにしたウェブサーバを提供する。【解決手段】ウェブサーバは、携帯端末との間で通信を行うための通信部と、通信部にて携帯端末のウェブブラウザからウェブページの閲覧要求を受けると所定のウェブページを携帯端末に送信する制御部と、会員毎に、会員情報が識別符号と共に記録された会員情報記録部とを備える。制御部は、閲覧要求をしてきた携帯端末のウェブブラウザから会員を特定するクッキーを取得すると、クッキーにて特定される会員の識別符号を会員情報記録部から取得し、その識別符号を表す音波データを生成して、音波データを含む音波出力用のウェブページを、携帯端末に送信する。【選択図】図１
2019220071.tif 000002
【特許請求の範囲】
【請求項１】
インターネットを介して携帯端末との間で通信を行うための通信部と、
該通信部にて前記携帯端末のウェブブラウザからウェブページの閲覧要求を受けると、該閲覧要求に従い所定のウェブページを前記携帯端末に送信する制御部と、
所定のサービスを利用可能な会員毎に、会員の固有情報である会員情報が識別符号と共に記録された会員情報記録部と、
を備え、前記制御部は、
前記ウェブページの閲覧要求をしてきた前記携帯端末のウェブブラウザから、前記会員情報記録部に記録された会員を特定するクッキーを取得すると、該クッキーにて特定される会員の識別符号を前記会員情報記録部から取得し、該取得した識別符号を表す音波データを生成して、該音波データを含む音波出力用のウェブページを、前記携帯端末に送信するよう構成されている、ウェブサーバ。
【請求項２】
前記制御部は、
前記ウェブページの送信先である前記携帯端末のウェブブラウザから、前記会員の登録要求を受けると、前記携帯端末から前記会員情報を取得し、該取得した会員情報に前記識別符号を付与して前記会員情報記録部に記録すると共に、前記携帯端末のウェブブラウザに対し、前記クッキーを送信するよう構成されている、請求項１に記載のウェブサーバ。
【請求項３】
前記通信部は、前記インターネット若しくは専用の通信回線を介して、前記会員が利用可能な場所に設置されたシステム専用端末との間で通信可能に構成されており、
前記制御部は、前記音波データを含む音波出力用のウェブページを前記携帯端末に送信すると、前記通信部にて、前記システム専用端末からの送信信号が受信されるのを待機し、該送信信号が受信されると、該送信信号に前記会員情報記録部に記録されている前記識別符号が含まれているか否かを判断して、該判断結果を、前記通信部を介して前記システム専用端末に送信するように構成されている、請求項１又は請求項２に記載のウェブサーバ。
【請求項４】
前記制御部は、前記システム専用端末からの前記送信信号に前記識別符号が含まれていると判断して、該判断結果を前記システム専用端末に送信した後、前記通信部にて、前記システム専用端末から、当該識別符号にて特定される会員による利用情報が受信されると、該利用情報を、当該会員の会員情報の一つとして、前記会員情報記録部に記録するよう構成されている、請求項３に記載のウェブサーバ。
【請求項５】
前記制御部は、前記通信部にて、前記システム専用端末から、前記識別符号にて特定される会員による前記利用情報が受信されると、該利用情報に基づき、当該会員に対し付与する特典を設定して、前記会員情報記録部に記録するよう構成されている、請求項３又は請求項４に記載のウェブサーバ。
【請求項６】
前記制御部は、前記利用情報に基づき、前記会員に対し付与する特典を設定すると、該特典を表す付加情報を、前記通信部を介して前記システム専用端末に送信するよう構成されている、請求項５に記載のウェブサーバ。
【請求項７】
請求項３に記載のウェブサーバとの間で通信可能なシステム専用端末であって、
インターネット若しくは所定の通信回線を介して、前記ウェブサーバとの間で通信するための端末側通信部と、
前記ウェブサーバから音波データを含む音波出力用のウェブページを受信した携帯端末から、該音波データに基づき生成される音波信号を受信する音波受信部と、
該音波受信部にて受信された音波信号から前記携帯端末を所持する会員の識別符号を復元して、前記端末側通信部から前記ウェブサーバに送信させ、その後、前記端末側通信部にて、前記ウェブサーバからの信号が受信されると、該受信信号に基づき、前記携帯端末が当該システム専用端末を利用可能であるか否かを判断する端末側制御部と、
を備えている、システム専用端末。
【請求項８】
前記端末側制御部は、前記携帯端末が当該システム専用端末を利用可能であると判断すると、前記携帯端末を所持する会員による当該システム専用端末の利用情報を取得し、該利用情報を前記端末側通信部から前記ウェブサーバに送信させるよう構成されている、請求項７に記載のシステム専用端末。
【請求項９】
前記端末側制御部は、前記利用情報を前記端末側通信部から前記ウェブサーバに送信させると、その後、前記ウェブサーバから送信されてくる付加情報を、前記端末側通信部を介して取得し、該付加情報を外部に出力するよう構成されている、請求項８に記載のシステム専用端末。
【発明の詳細な説明】
【技術分野】
【０００１】
本開示は、携帯端末からの閲覧要求に応じて所定のウェブページを携帯端末に送信するウェブサーバ、及び、このウェブサーバを利用して会員の認証を行うシステム専用端末に関する。
【背景技術】
【０００２】
従来、店舗や施設に設置されたシステム専用端末を利用して、顧客から料金を徴収したり、顧客に対しポイント、クーポン等の特典を付与したりするシステムが知られている。
例えば、特許文献１には、顧客が利用する施設に設置されて二次元バーコードを読み取る読取装置と、顧客が所持する携帯端末からの要求に従い二次元バーコードを送信する管理サーバと、を備えた還元サービス管理システムが開示されている。
【０００３】
このシステムでは、顧客が携帯端末を操作して管理サーバにアクセスさせることで、携帯端末に対し、管理サーバから認証情報である二次元バーコードを取得させ、ディスプレイに表示させる。そして、その表示させた二次元バーコードを読取装置に読み取らせることで、読取装置に携帯端末を認証させて、携帯端末を所持する顧客に対し所定の特典を付与させる。
【０００４】
また、特許文献２には、キャンペーンサーバと、店舗に設置されている来店証明書込装置と、を含む来店促進キャンペーンシステムが開示されている。
このシステムでは、顧客が来店証明書込装置に携帯端末をかざした場合に、来店証明書込装置が、来店証明書や来店回数に応じた応募可能回数を携帯端末に記録させる。
【０００５】
また、顧客が携帯端末を操作して、キャンペーン対象の商品に付与されているニ次元バーコードを読み取らせると、二次元バーコードから得られるシリアルナンバーと来店証明書がキャンペーンサーバに送信される。
【０００６】
すると、キャンペーンサーバは、その携帯端末を用いたキャンペーンの応募を、その携帯端末に記録されている応募可能回数だけ受け付ける。
従って、これらのシステムでは、店舗や施設を利用する顧客は、自身が所持する携帯端末を利用して、所定の特典を受けたり、特典を提供するキャンペーンに応募したりすることができるようになる。
【先行技術文献】
【特許文献】
【０００７】
【特許文献１】特開２００５−７８３２３号公報
【特許文献２】特開２００８−８３９２０号公報
【発明の概要】
【発明が解決しようとする課題】
【０００８】
ところで、特許文献１に開示された還元サービス管理システムにおいては、携帯端末において、管理サーバに対し顧客ＩＤ等の顧客情報を送信することで、顧客情報に対応した二次元バーコードを取得し、表示させる必要がある。
【０００９】
また、特許文献２に開示された来店促進キャンペーンシステムでは、携帯端末において、来店証明書込装置から来店証明書や応募可能回数を取得し、これらの情報を携帯端末固有の識別情報と共にキャンペーンサーバに送信する必要がある。
【００１０】
このため、これらのシステムでは、顧客は、自身の携帯端末に、上記動作を実施させるためのシステム専用のアプリケーションソフトをインストールしておき、システム利用時には、そのアプリケーションソフトを実行させる必要がある。
【００１１】
従って、携帯端末には、これらのアプリケーションソフトをインストールするための記憶領域を確保する必要があり、メモリの容量が小さい携帯端末では、上述したシステムを利用することができないという問題があった。
【００１２】
また、上記従来のシステムでは、携帯端末からサーバにアクセスする際、顧客情報や携帯端末固有の識別情報をサーバに送信する必要があるため、その送信時等にこれらの情報が盗まれ、不正使用されることも考えられる。
【００１３】
本開示の一局面は、携帯端末が、システム専用のアプリケーションソフトを実行したり、携帯端末固有の識別情報をサーバに送信したりすることなく、認証用のデータを取得することのできるウェブサーバ、及び、そのデータを利用するシステム専用端末、を提供することが望ましい。
【課題を解決するための手段】
【００１４】
本開示の一局面のウェブサーバは、インターネットを介して携帯端末との間で通信を行う通信部と、通信部にて携帯端末のウェブブラウザからウェブページの閲覧要求を受けると、その閲覧要求に従い所定のウェブページを携帯端末に送信する制御部と、を備える。
【００１５】
また、ウェブサーバには、所定のサービスを利用可能な会員毎に、会員の固有情報である会員情報が識別符号と共に記録された会員情報記録部が備えられている。
そして、制御部は、ウェブページの閲覧要求をしてきた携帯端末のウェブブラウザから、会員情報記録部に記録された会員を特定するクッキーを取得すると、そのクッキーにて特定される会員の識別符号を会員情報記録部から取得する。
【００１６】
また、制御部は、会員情報記録部からクッキーにて特定される会員の識別符号を取得すると、その識別符号を表す音波データを生成して、音波データを含む音波出力用のウェブページを、携帯端末に送信する。
【００１７】
この結果、会員を特定するクッキーと共にウェブページの閲覧要求を送信してきた携帯端末側では、ウェブブラウザの音波再生機能によって、会員の識別符号を表す音波データに対応した音波が再生されて、その音波が周囲に出力されることになる。
【００１８】
従って、上述した店舗や施設に設置されたシステム専用端末側では、携帯端末から出力される音波を、マイク等を利用して受信することで、会員の識別符号を取得することができ、その識別符号を利用して、店舗や施設を利用した会員を特定できるようになる。
【００１９】
また、携帯端末は、携帯端末の一機能として通常設けられているウェブブラウザを利用して、ウェブサーバから会員の識別符号を表す音波データを取得し、その音波データから音波を再生して出力することができる。
【００２０】
このため、携帯端末は、システム専用のアプリケーションソフトを利用することなく、ウェブサーバから携帯端末固有の識別符号を取得することができる。
また、携帯端末は、ウェブサーバに自身を特定させるために、ウェブブラウザに予め登録されているクッキーを送信すればよく、携帯端末固有の識別情報を送信する必要がないので、その識別情報が盗まれ、不正使用されるのを抑制できる。
【００２１】
また、ウェブサーバから携帯端末には、携帯端末を特定するための識別符号が、音波データに変換されて送信され、携帯端末は、その音波データに基づき音波を出力することから、識別符号が盗まれ、不正使用されることも抑制できる。
【００２２】
ここで、制御部は、ウェブページの送信先である携帯端末のウェブブラウザから、会員の登録要求を受けると、携帯端末から会員情報を取得し、その取得した会員情報に識別符号を付与して、会員情報記録部に記録するように構成されていてもよい。
【００２３】
また、この場合、携帯端末のウェブブラウザに対し、会員を特定するためのクッキーを送信するようにすれば、その後、携帯端末のウェブブラウザから当該ウェブサーバに対し送信されてくる閲覧要求には、そのクッキーが含まれることになる。
【００２４】
この結果、ウェブサーバに会員登録した携帯端末からは、ウェブサーバに対し、ウェブサーバ側で携帯端末（換言すれば会員）を特定可能なクッキーを含む閲覧要求が送信されることになる。よって、携帯端末を所持する使用者（会員）は、特別な操作を行うことなく、極めて簡単に、ウェブサーバに対し携帯端末（換言すれば会員）を特定させることができるようになる。
【００２５】
次に、通信部は、インターネット若しくは専用の通信回線を介して、会員が利用可能な場所に設置されたシステム専用端末との間で通信可能に構成されており、制御部は、下記のように動作するよう構成されていてもよい。
【００２６】
つまり、制御部は、音波データを含む音波出力用のウェブページを携帯端末に送信すると、通信部にて、システム専用端末からの送信信号が受信されるのを待機する。そして、その送信信号が受信されると、送信信号に会員情報記録部に記録されている識別符号が含まれているか否かを判断して、その判断結果を、通信部を介してシステム専用端末に送信する。
【００２７】
このようにウェブサーバを構成すれば、携帯端末から出力される音波を受信することで会員の識別符号を取得したシステム専用端末側では、その識別符号をウェブサーバに送信することで、ウェブサーバに対し会員を認証させることができるようになる。
【００２８】
なお、この場合、制御部は、システム専用端末からの送信信号に識別符号が含まれていると判断して、その判断結果（換言すれば認証結果）をシステム専用端末に送信した後、通信部にて、システム専用端末から、当該識別符号にて特定される会員による利用情報が受信されると、その利用情報を、当該会員の会員情報の一つとして、会員情報記録部に記録するよう構成されていてもよい。
【００２９】
また更に、制御部は、通信部にて、システム専用端末から、識別符号にて特定される会員による利用情報が受信されると、その利用情報に基づき、当該会員に対し付与する特典を設定して、会員情報記録部に記録するよう構成されていてもよい。
【００３０】
また更に、制御部は、利用情報に基づき、会員に対し付与する特典を設定すると、その特典を表す付加情報を、通信部を介してシステム専用端末に送信するよう構成されていてもよい。
【００３１】
つまり、制御部は、システム専用端末から送信されてくる識別符号に基づき、会員を認証すると、その後、システム専用端末から送信されてくる利用情報を会員情報記録部に記録することで、会員によるシステム専用端末の利用状況を記録することができる。
【００３２】
また、その利用情報に応じて、会員に対し付与する特典を設定して、会員情報記録部に記録することで、会員に対し所定のサービスを提供できる。また、設定した特典を表す付加情報をシステム専用端末に送信することで、システム専用端末を介して、会員に特典の内容を提示することができる。
【００３３】
次に、本開示の一局面のシステム専用端末は、インターネット若しくは所定の通信回線を介して、上述した本開示のウェブサーバとの間で通信するための端末側通信部を備える。
【００３４】
また、本開示のシステム専用端末には、ウェブサーバから音波データを含む音波出力用のウェブページを受信した携帯端末から、その音波データに基づき生成される音波信号を受信する音波受信部と、端末側制御部と、が備えられている。
【００３５】
そして、端末側制御部は、音波受信部にて受信された音波信号から携帯端末を所持する会員の識別符号を復元して、端末側通信部からウェブサーバに送信させ、その後、端末側通信部にて、ウェブサーバからの信号が受信されると、その受信信号に基づき、携帯端末が当該システム専用端末を利用可能であるか否かを判断する。
【００３６】
従って、本開示のシステム専用端末によれば、上述した本開示のウェブサーバに対し、携帯端末の所有者が会員情報記録部に記録された会員であることを認証させて、システム専用端末が設置された店舗や施設での利用を許可することができるようになる。
【００３７】
なお、端末側制御部は、携帯端末が当該システム専用端末を利用可能であると判断すると、携帯端末を所持する会員による当該システム専用端末の利用情報を取得し、利用情報を端末側通信部からウェブサーバに送信させるよう構成されていてもよい。
【００３８】
このようにすれば、ウェブサーバに対し、会員によるシステム専用端末の利用状況を把握させて、会員に対し、利用状況に応じた特典を付与させることができる。
また、端末側制御部は、利用情報を端末側通信部からウェブサーバに送信させると、その後、ウェブサーバから送信されてくる付加情報を、端末側通信部を介して取得し、その付加情報を外部に出力するよう構成されていてもよい。
【００３９】
このようにすれば、システム専用端末において、ウェブサーバ側で会員に対し付与された特典を付加情報として取得し、その付加情報を表示させたり、プリントアウトしたりすることで、会員に対し特典の内容を提示することができるようになる。
【図面の簡単な説明】
【００４０】
【図１】実施形態の特典付与システム全体の構成を表すブロック図である。
【図２】ウェブサーバにて実行される制御処理を表すフローチャートである。
【図３】レジ用端末とウェブサーバとの間で各種情報を送受信するために実施される通信処理を表すフローチャートである。
【図４】携帯端末、レジ用端末及びウェブサーバの間でやり取りされる情報を表す説明図である。
【発明を実施するための形態】
【００４１】
以下に本発明の実施形態を図面と共に説明する。
本実施形態の特典付与システムは、予め登録された会員が店舗で買い物をしたり、施設を利用したりして、料金を支払った際に、会員に対しポイント、クーポン等の特典を付与するためのシステムである。
【００４２】
このため、本実施形態の特典付与システムには、図１に示すように、インターネット２に接続されて、会員の情報や会員によるシステムの利用状況、利用状況に応じて会員に付与した特典、等を管理可能なウェブサーバ１０が備えられている。
【００４３】
ウェブサーバ１０は、インターネット２に接続可能な各種端末装置からの閲覧要求に応じて、所定のウェブページを生成して送信する周知のものであり、ＣＰＵ１２，ＲＯＭ１４，ＲＡＭ１６，通信部１８を有するコンピュータシステムにて構成されている。
【００４４】
また、ウェブサーバ１０には、ウェブページを生成するためのウェブページデータ２２が記憶された、ＨＤＤ、ＳＤＤ等からなる記録部２０が備えられている。そして、この記録部２０には、ウェブページデータ２２とは別に、上述した会員の氏名や住所等の会員情報が、会員を特定するための会員番号と共に登録された会員管理データ２４も記録されている。つまり、記録部２０は、本開示の会員情報記録部としての機能を備える。
【００４５】
ＣＰＵ１２は、本開示の制御部に相当するものであり、ＲＯＭ１４に記憶されている後述の制御処理を実行することにより、インターネット２を介して各種端末装置からウェブページの閲覧要求を受けた際に、閲覧要求に対応したウェブページを生成して、閲覧要求を送信してきた端末装置に送信する。
【００４６】
また、ＣＰＵ１２は、閲覧要求してきた端末装置が会員管理データ２４に記録されている会員の携帯端末５０であり、閲覧要求に、携帯端末５０のウェブブラウザに記録させたクッキーが含まれている場合には、そのクッキーに基づき会員を特定して、会員専用のウェブページを生成し、閲覧要求してきた携帯端末５０に送信する。
【００４７】
また、通信部１８は、インターネット２（若しくはシステム専用の通信回線）を介して、会員が利用する店舗や施設に設置されたレジ用端末３０との間で通信できるようになっている。
【００４８】
そして、ＣＰＵ１２は、通信部１８を介して、レジ用端末３０から会員の認証要求を受けると、その認証要求に含まれている会員番号から、会員管理データ２４に認証要求された会員が登録されているか否かを判断して、その判断結果（換言すれば認証結果）を、認証要求してきたレジ用端末３０に送信する。
【００４９】
このため、レジ用端末３０側では、ウェブサーバ１０から送信されてくる認証結果に基づき、店舗若しくは施設の利用者が正規の会員であるか否かを判断して、会員に対する各種サービス（本実施形態では特典付与）を行うことができる。
【００５０】
レジ用端末３０は、本開示のシステム専用端末に相当するものであり、本実施形態では、レジ用端末３０が設置された店舗若しくは施設内のＬＡＮ４を介して、インターネット２（若しくはシステム専用の通信回線）に接続できるようになっている。
【００５１】
このため、レジ用端末３０には、ＬＡＮ４及びインターネット２等の通信網を介してウェブサーバ１０との間でデータ通信を行うための通信部３６と、この通信部３６を介してウェブサーバ１０との間でデータ通信を行う制御部４０が備えられている。
【００５２】
なお、通信部３６は、本開示の端末側通信部に相当する。また、制御部４０は、本開示の端末側制御部に相当するものであり、ＣＰＵ，ＲＯＭ，ＲＡＭ等を含むマイクロコンピュータ（マイコン）にて構成されている。
【００５３】
また、レジ用端末３０には、利用者が購入した物品の種別や金額、施設の利用料金等を入力するための操作部３２、入力内容や利用料金の計算結果等を表示するための表示部３４、表示部３４への表示内容をプリントアウトするためのプリンタ部３８等が備えられている。
【００５４】
また、レジ用端末３０には、携帯端末５０のスピーカ６２から出力される音波（詳しくは超音波）を受信するための音波受信部４２や、制御部４０と外部装置との間で各種データを入出力するための入出力部４６も備えられている。
【００５５】
そして、これら各部は、制御部４０に接続されており、制御部４０は、これら各部との間でデータを入出力することで、利用者による利用料金の計算、計算結果の出力、利用者が会員であるか否かの判定、等を行う。
【００５６】
なお、音波受信部４２は、スピーカ６２から出力される音波を電気信号に変換するマイク、若しくは、スピーカ６２から放射される磁束の変化を検出するピックアップコイル、等にて構成されている。
【００５７】
そして、音波受信部４２は、受信した音波（超音波）の周波数及びその変化から、ハイ・ローに変化する２値信号を復元し、制御部４０に入力する。この結果、制御部４０においては、音波受信部４２から入力される２値信号から、携帯端末５０から音波にて送信されたデジタルデータを復元できることになる。
【００５８】
なお、こうした音波通信や音波通信に用いられる音波受信部の構成については、例えば、特許第５９４７２４４号公報に開示されているので、ここでは詳細な説明は省略する。
【００５９】
次に、携帯端末５０は、利用者が所持するスマートフォン、タブレット端末、携帯型のパソコン（ノートパソコン）等であり、電話回線網６の基地局７や無線ＬＡＮのアクセスポイント（ＡＰ）５との間で無線通信を行うための無線通信部５６が備えられている。
【００６０】
また、携帯端末５０には、使用者が電話回線網６に接続された他の携帯端末との間で通話するのに必要なスピーカ６２及びマイク６４と、無線通信部５６を介して通話用或いは通信用のデータを送受信するための制御部６０と、が備えられている。
【００６１】
そして、スピーカ６２及びマイク６４と制御部６０との間には、マイク６４からの音声信号を音声データに変換して制御部６０に入力したり、制御部６０からの音声データを音声信号に変換してスピーカ６２に出力したりするための音声入出力部６６が設けられている。
【００６２】
また、携帯端末５０には、使用者が操作するための操作部５２、各種情報を表示するための表示部５４、外部装置との間で各種データをやり取りするための入出力部６８も備えられている。
【００６３】
携帯端末５０の制御部６０は、レジ用端末３０の制御部４０と同様、ＣＰＵ，ＲＯＭ，ＲＡＭ等を含むマイコンにて構成されている。そして、ＲＯＭには、ＣＰＵが実行するアプリケーションソフトの一つとして、インターネット２上の各種ウェブサーバにアクセスして所望のウェブページを閲覧するためのウェブブラウザが記憶されている。
【００６４】
このため、携帯端末５０の利用者は、本実施形態の特典付与システムのウェブサーバ１０にウェブページの閲覧要求を送信することで、ウェブサーバ１０が提供する所望のウェブページを閲覧することができる。
【００６５】
次に、ウェブサーバ１０のＣＰＵ１２において実行される制御処理（ウェブサーバ処理）について説明する。
図２に示すように、ウェブサーバ処理においては、まずＳ１１０（Ｓはステップを表す）にて、通信部１８にて当該ウェブサーバ１０に対するウェブページの閲覧要求が受信されたか否かを判断することで、ウェブページの閲覧要求が入力されるのを待機する。
【００６６】
Ｓ１１０にて、ウェブページの閲覧要求が入力されたと判断されると、Ｓ１２０にて、その閲覧要求に会員特定用のクッキーが含まれているか否かを判断する。そして、閲覧要求に会員特定用のクッキーが含まれている場合には、Ｓ２１０に移行し、閲覧要求に会員特定用のクッキーが含まれていない場合には、Ｓ１３０に移行する。
【００６７】
Ｓ１３０では、閲覧要求されたウェブページは、会員登録用のウェブページであるか否かを判断することにより、会員登録が要求されたか否かを判断する。そして、会員登録が要求されていなければ、Ｓ１３５に移行し、会員登録が要求されていれば、Ｓ１４０に移行する。
【００６８】
Ｓ１３５では、記録部２０に記録されたウェブページデータ２２に基づき、閲覧要求されたウェブページを生成して、閲覧要求してきた端末装置に送信し、Ｓ１１０に移行する。
【００６９】
また、Ｓ１４０では、記録部２０に記録されたウェブページデータ２２に基づき、会員登録用のウェブページを生成して、会員登録を要求してきた端末装置（ここでは携帯端末５０）に送信し、Ｓ１５０に移行する。
【００７０】
Ｓ１５０では、会員登録用のウェブページを送信した携帯端末５０から、ウェブページへの書き込みによって送信されてくる登録情報（氏名、住所等）を取得し、Ｓ１６０に移行する。
【００７１】
Ｓ１６０では、Ｓ１５０にて取得した登録情報に基づき、当該特典付与システムの会員として登録可能であるか否かを判断する。そして、例えば、Ｓ１５０にて取得した登録情報に不備がある場合等、会員登録ができない場合には、Ｓ１７０に移行して、会員登録を要求してきた携帯端末５０に、登録できないことを通知し、Ｓ１１０に移行する。
【００７２】
また、Ｓ１６０にて、会員登録が可能であると判断されると、Ｓ１８０に移行して、Ｓ１５０にて取得した登録情報に、新規の会員番号、及び、入会時に付与する特典を表す付加情報、を付与した会員情報を、会員管理データ２４の一つとして、記録部２０に記録する。
【００７３】
このようにＳ１８０にて、新規の会員情報を記録部２０に記録すると、今度は、Ｓ１９０に移行して、新規登録した会員を特定するためのクッキーを生成する。
そして、続くＳ２００では、Ｓ１９０で生成したクッキーを含む会員登録の完了通知を、会員登録を要求してきた携帯端末５０に送信し、Ｓ１１０に移行する。
【００７４】
なお、クッキーは、「ＨＴＴＰｃｏｏｋｉｅ」であり、ウェブサーバとウェブブラウザとの間で状態を管理するために、ウェブブラウザに保存される情報である。このため、Ｓ２００にて、携帯端末５０にクッキーを送信すると、そのクッキーが携帯端末５０のウェブブラウザに記録されることになる。
【００７５】
そして、その後、クッキーを記録させた携帯端末５０のウェブブラウザから当該ウェブサーバ１０にウェブページの閲覧要求があった場合には、閲覧要求と共にクッキーが送信されてくることになり、ウェブサーバ１０側では、そのクッキーから、携帯端末５０の所有者である会員を特定することができるようになる。
【００７６】
このため、閲覧要求に会員特定用のクッキーが含まれていると判断された場合に実行されるＳ２１０においては、そのクッキーに基づき、会員管理データ２４を検索することで、閲覧要求してきた会員の会員番号を取得し、Ｓ２２０に移行する。
【００７７】
Ｓ２２０では、Ｓ２１０にて取得した会員番号を音波にて出力するための音波データを生成する。なお、音波データには、ＷＡＶ形式のものが利用される。そして、続くＳ２２０では、その生成した音波データを含む会員用のウェブページを生成し、閲覧要求してきた携帯端末５０に送信する。
【００７８】
なお、Ｓ２２０では、会員用のウェブページをＨＴＭＬ（Hyper Text Markup Language）にて作成することで、会員番号に対応した音波データをウェブページに埋め込む。
このため、このウェブページを取得した携帯端末５０側では、ウェブブラウザの音声再生機能によって、ウェブページに埋め込まれた音波データから会員番号に対応した音波信号が再生され、スピーカ６２から、その音波信号に対応した音波（詳しくは超音波）が出力されることになる。
【００７９】
従って、会員登録した携帯端末５０を所持する使用者（換言すれば会員）は、携帯端末５０を操作して、ウェブサーバ１０にアクセスすることで、スピーカ６２から、自身の会員番号に応じた超音波を出力させることができる。
【００８０】
また、使用者は、携帯端末５０をレジ用端末３０の音波受信部４２に近づけ、スピーカ６２から出力される超音波を音波受信部４２に受信させることで、レジ用端末３０に、自身の会員番号を入力し、レジ用端末３０に利用者（会員）を特定させることができる。
【００８１】
一方、レジ用端末３０においては、会員が料金を支払う際に、操作部３２を介して会員の認証指令が入力されると、制御部４０が、図３に示す会員情報通信処理を実行する。
この会員情報通信処理は、音波受信部４２から入力される２値信号から会員番号を復元して、ウェブサーバ１０に送信することで、会員番号にて特定される会員をウェブサーバ１０に認証させて、会員に対する特典を付与させるための処理である。
【００８２】
このため、ウェブサーバ処理では、Ｓ２３０で会員用ウェブページを生成して、携帯端末５０に送信すると、Ｓ２４０に移行して、レジ用端末３０との通信処理を行い、この通信処理が終了すると、Ｓ１１０に移行する。
【００８３】
以下、このようにレジ用端末３０において実行される会員情報通信処理と、これに対応してウェブサーバ１０において実行されるレジ用端末３０との通信処理について、図３に示すフローチャートに沿って説明する。
【００８４】
図３に示すように、レジ用端末３０にて実行される会員情報通信処理では、Ｓ３１０にて、音波受信部４２にて受信された音波信号（詳しくは２値信号）から会員番号を復元し、Ｓ３２０にて、その復元した会員番号をウェブサーバ１０に送信する。
【００８５】
なお、本実施形態では、レジ用端末３０とウェブサーバ１０との通信にインターネット２が利用されることから、会員番号等、レジ用端末３０とウェブサーバ１０との間で送受信される情報は暗号化して送受信され、受信側では受信信号を復号化することで、情報を復元する。
【００８６】
次に、ウェブサーバ１０において、Ｓ２４０にて実行される通信処理では、まずＳ２４１にて、レジ用端末３０から送信されてきた会員番号が通信部１８で受信さたか否かを判断することにより、会員番号が受信されるのを待機する。
【００８７】
そして、Ｓ２４１にて、会員番号が受信されたと判断されると、Ｓ２４２に移行して、受信された会員番号に対応した会員の情報が、会員管理データ２４の一つとして記録部２０に記録されているか否か、を判断する認証処理を実行し、その認証結果を、レジ用端末３０に送信する。
【００８８】
これに対し、レジ用端末３０側では、Ｓ３２０にて会員番号を送信した後は、Ｓ３３０にて、ウェブサーバ１０から会員の認証結果が送信されてくるのを待機する。そして、Ｓ３３０にて、認証結果が受信されたと判断されると、Ｓ３４０に移行し、その認証結果から、ウェブサーバ１０において、Ｓ３２０で送信した会員番号の会員は認証されたか否かを判断する。
【００８９】
Ｓ３４０にて、会員認証されたと判断されると、Ｓ３６０に移行して、会員に対する売上データをウェブサーバ１０に送信し、会員認証できなかったと判断されると、Ｓ３５０に移行して、会員認証できなかったことを報知する。
【００９０】
なお、Ｓ３５０での認証不可の報知は、表示部３４への認証不可を表示したり、ブザーを鳴動させたりすることにより行われ、Ｓ３５０にて認証不可を報知した後は、会員情報通信処理を終了する。
【００９１】
次に、ウェブサーバ１０側では、Ｓ２４２で認証結果を送信した後は、Ｓ２４３に移行して、会員認証できたか否かを判断する。そして、会員認証できなかった場合には、当該通信処理を終了して、Ｓ１１０に移行する。また、会員認証できた場合には、Ｓ２４４に移行し、通信部１８にてレジ用端末３０から送信された売上データが受信されるのを待機する。
【００９２】
Ｓ２４４にて、通信部１８にて売上データが受信されたと判断されると、Ｓ２４５に移行し、その売上データに基づき、会員に付与する特典（ポイント、クーポン等）を設定し、その設定した特典に基づき、会員管理データ２４に会員情報の一つとして記録されている付加情報を更新し、Ｓ２４６に移行する。
【００９３】
そして、Ｓ２４６では、更新した付加情報（更新後のポイント値やクーポンの種別等）をレジ用端末３０に送信し、当該通信処理を終了して、Ｓ１１０に移行する。
このため、レジ用端末３０においては、Ｓ３６０にて売上データを送信した後は、Ｓ３７０に移行し、通信部３６にて、ウェブサーバ１０から送信されてくる付加情報が受信されるのを待機する。
【００９４】
そして、通信部３６にて付加情報が受信されると、Ｓ３８０に移行して、その付加情報を、表示部３４若しくはプリンタ部３８に出力することで、受信した付加情報に基づき、売上データに基づき更新された特典（最新のポイント値やクーポンの種別等）に関する情報を表示、若しくはプリントアウトし、会員情報通信処理を終了する。
【００９５】
以上説明したように、本実施形態の特典付与システムにおいては、図４に示すように、当該システムに加入したい利用者は、携帯端末５０のウェブブラウザを利用して、自身の固有情報を会員情報としてウェブサーバ１０に送信することで、簡単に会員登録することができる。そして、会員登録すると、ウェブサーバ１０から携帯端末５０にクッキーが送信されて、ウェブブラウザに記録される。
【００９６】
このため、会員登録後、会員登録に利用した携帯端末５０のウェブブラウザを使ってウェブサーバ１０にアクセスすれば、ウェブサーバ１０にクッキーが送信され、ウェブサーバ１０側ではそのクッキーに基づき、アクセスしてきた会員を特定できるようになる。
【００９７】
そして、本実施形態では、ウェブサーバ１０側で、クッキーに基づき会員を特定すると、その会員の識別符号である会員番号が音波データに変換され、携帯端末５０には、その音波データを含むウェブページが送信される。
【００９８】
このため、携帯端末５０側では、ウェブブラウザの音声再生機能によって、ウェブページに埋め込まれた音波データに対応した音波が出力され、この音波を、レジ用端末３０に入力することで、レジ用端末３０に対し、利用者（会員）を特定させることができる。
【００９９】
従って、本実施形態によれば、携帯端末５０を使って、レジ用端末３０にウェブサーバ１０に登録された会員番号を入力する際には、利用者は、携帯端末５０に基本ソフトとして登録されているウェブブラウザを実行させるだけでよく、システム専用のアプリケーションソフトを実行させる必要がない。このため、会員は、携帯端末５０のメモリの空き容量が少ない場合であっても、当該システムを利用することができる。
【０１００】
また、会員の識別符号である会員番号は、携帯端末に保存したり、会員が外部操作によって入力したりする必要がなく、しかも、ウェブサーバ１０から携帯端末５０には、会員番号から生成された音波データが送信されることから、会員番号が外部に漏洩して、不正使用されるのを抑制できる。
【０１０１】
次に、レジ用端末３０は、携帯端末５０から出力される音波から、利用者の会員番号を復元すると、これをウェブサーバ１０に送信することで、利用者が正規の会員であるか否かを確認する。
【０１０２】
そして、ウェブサーバ１０にて、利用者が正規の会員であることが認証され、その認証結果が、ウェブサーバ１０からレジ用端末３０に送信されてくると、レジ用端末３０は、会員による売上データをウェブサーバ１０に送信する。このため、ウェブサーバ１０に対し、レジ用端末３０の利用状況である売上データを記録させることができる。
【０１０３】
また、ウェブサーバ１０は、売上データに基づき、会員に対する特典を付与し、その特典を付加情報として記録部２０に記録し、更に、その付加情報をレジ用端末３０に送信する。このため、本実施形態によれば、会員に対し売上に応じた特典を付与できるだけでなく、その特典を付加情報として管理し、レジ用端末３０側で付加情報を表示若しくは印刷することで、会員に対し、現在の特典を提示することができる。
【０１０４】
以上、本開示を実施するための形態について説明したが、本開示は上述の実施形態に限定されることなく、種々変形して実施することができる。
例えば、上記実施形態では、システム専用端末であるレジ用端末３０にて料金の支払いを行った会員に対し、ポイント、クーポン等の特典を付与する特典付与システムについて説明した。しかし、本開示の技術は、例えば、鍵の開閉、自動販売機での購入、発券機でのチケットの発券、店舗での支払い、等を行う際に、利用者がこれらの実施を許可された会員であることを確認する、認証システムに適用してもよい。例えば、ウェブサーバ１０において、レジ用端末３０から取得した売上データに基づき会員の口座から料金を自動徴収するようにすれば、本開示の技術を利用した電子決済システムを容易に構築できる。
【０１０５】
また、上記実施形態では、ウェブサーバ１０から会員の携帯端末５０には、識別符号として、会員番号を音波データにて送信するものとして説明したが、識別符号としては、会員を特定し得る情報であればよく、番号に限定されるものではない。
【０１０６】
また、ウェブサーバ１０及びレジ用端末３０は、ＣＰＵがプログラムを実行することにより図２，図３に示す手順で動作するものとして説明したが、図２，図３に示す各部の機能を実現する手法は、ソフトウェアに限るものではなく、その一部又は全部の要素を、論理回路やアナログ回路等を組み合わせたハードウェアを用いて実現するようにしてもよい。
【０１０７】
また、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【０１０８】
２…インターネット、４…ＬＡＮ、６…電話回線網、１０…ウェブサーバ、１２…ＣＰＵ、１８…通信部、２０…記録部、３０…レジ用端末、３６…通信部、４０…制御部、４２…音波受信部、５０…携帯端末、５６…無線通信部、６０…制御部、６２…スピーカ、６６…音声入出力部。
【図１】
2019220071.tif 000003
【図２】
2019220071.tif 000004
【図３】
2019220071.tif 000005
【図４】
2019220071.tif 000006